(57)【特許請求の範囲】
【請求項１】
便器装置の便器の上部に配置される上部構成部の一部又は全部を昇降させる昇降装置であって、
前記上部構成部の一部又は全部を支持するベース部材と、
前記ベース部材の一の面に配置され前記一の面において前記ベース部材を固定する第１固定面、及び前記ベース部材の他の面に配置され前記他の面において前記ベース部材を固定する第２固定面を有する可動部材と、を備え、
前記第１固定面は、前記ベース部材の受け面の上部に配置され前記受け面において前記ベース部材を固定する昇降装置。
【請求項２】
前記第２固定面は、前記ベース部材の下面に配置され前記下面において前記ベース部材を固定する請求項１に記載の昇降装置。
【請求項３】
前記第２固定面は、前記ベース部材の側面に配置され前記側面において前記ベース部材を固定する請求項１に記載の昇降装置。
【請求項４】
前記第１固定面と前記ベース部材とは、前記可動部材及び前記ベース部材を固定位置に位置させた状態で、前記第１固定面の上方から第１固定部材により固定されるように構成され、
前記第２固定面と前記ベース部材とは、前記可動部材及び前記ベース部材を固定位置に位置させた状態で、前記ベース部材の上方から第２固定部材により固定されるように構成される請求項２に記載の昇降装置。
【請求項５】
前記第１固定面と前記ベース部材とを固定する第１固定位置と、前記第２固定面と前記ベース部材とを固定する第２固定位置とは、前記便器の前後方向において位置がずれている請求項２又は４に記載の昇降装置。
【請求項６】
前記ベース部材は、後方に突出して形成される接続部を有し、
前記可動部材は、前記接続部において、前記ベース部材と固定される請求項１から５のいずれかに記載の昇降装置。
【発明の詳細な説明】
【技術分野】
【０００１】
本発明は、便器装置の便器の上部に配置される上部構成部の一部又は全部を昇降させる昇降装置に関する。
【背景技術】
【０００２】
従来、便器装置の便器の上部に配置される上部構成部の一部又は全部を昇降させる昇降装置が知られている（例えば、特許文献１参照）。特許文献１に記載の昇降装置は、上部構成部の一部又は全部を支持するベース部材と、ベース部材を固定する可動部材と、を備える。特許文献１に記載の昇降装置は、可動部材を上昇させることで、上部構成部の一部又は全部を支持するベース部材を上昇させる。これにより、特許文献１に記載の昇降装置は、ベース部材と便器との間の隙間を広げて、ベース部材と便器との間の隙間に手を入れやすくすることで、便器の上面などの清掃を行いやすくするように構成されている。
【先行技術文献】
【特許文献】
【０００３】
【特許文献１】特開２００３−１６６２７１号公報
【発明の概要】
【発明が解決しようとする課題】
【０００４】
特許文献１に記載の可動部材は、垂直プレート及び下部水平プレートを有し、Ｌ字形状に形成されている。下部水平プレートは、上部構成部の一部又は全部を支持するベース部材の下面に配置されており、ベース部材の下面においてベース部材を固定する。そのため、下部水平プレートに上部構成部からの荷重がかかり、可動部材は、下部水平プレートの先端側が下方に移動して、下部水平プレートと垂直プレートとの角度が鈍角となるような形状に変形しやすい。これにより、可動部材が変形することでベース部材が上昇しきれずに、ベース部材と便器との間の隙間が小さくなる可能性がある。可動部材が変形すると、ベース部材と便器との間の隙間に手を入れにくくなり、便器の上面などを清掃する際の清掃性が低下する可能性がある。
【０００５】
本発明は、便器装置の便器の上部に配置される上部構成部の一部又は全部を支持するベース部材と、ベース部材を固定する可動部材と、を備え、可動部材の変形を低減することができる昇降装置を提供することを目的とする。
【課題を解決するための手段】
【０００６】
本発明は、便器装置の便器の上部に配置される上部構成部の一部又は全部を昇降させる昇降装置であって、前記上部構成部の一部又は全部を支持するベース部材と、前記ベース部材の一の面に配置され前記一の面において前記ベース部材を固定する第１固定面、及び前記ベース部材の他の面に配置され前記他の面において前記ベース部材を固定する第２固定面を有する可動部材と、を備える昇降装置に関する。
【０００７】
また、前記第１固定面は、前記ベース部材の受け面の上部に配置され前記受け面において前記ベース部材を固定することが好ましい。
【０００８】
また、前記第２固定面は、前記ベース部材の下面に配置され前記下面において前記ベース部材を固定することが好ましい。
【０００９】
また、前記第２固定面は、前記ベース部材の側面に配置され前記側面において前記ベース部材を固定することが好ましい。
【００１０】
また、前記第１固定面と前記ベース部材とは、前記可動部材及び前記ベース部材を固定位置に位置させた状態で、前記第１固定面の上方から第１固定部材により固定されるように構成され、前記第２固定面と前記ベース部材とは、前記可動部材及び前記ベース部材を固定位置に位置させた状態で、前記ベース部材の上方から第２固定部材により固定されるように構成されることが好ましい。
【００１１】
また、前記第１固定面と前記ベース部材とを固定する第１固定位置と、前記第２固定面と前記ベース部材とを固定する第２固定位置とは、前記便器の前後方向において位置がずれていることが好ましい。
【００１２】
また、前記ベース部材は、後方に突出して形成される接続部を有し、前記可動部材は、前記接続部において、前記ベース部材と固定されることが好ましい。
【発明の効果】
【００１３】
本発明によれば、便器装置の便器の上部に配置される上部構成部の一部又は全部を支持するベース部材と、ベース部材を固定する可動部材と、を備え、可動部材の変形を低減することができる昇降装置を提供することができる。
【図面の簡単な説明】
【００１４】
【図１】本発明の第１実施形態に係る昇降装置１０を示す図であって、フロントベース部材６が上昇前の位置に配置された状態を示す図である。
【図２】本発明の第１実施形態に係る昇降装置１０を示す図であって、フロントベース部材６が上昇後の位置に配置された状態を示す図である。
【図３】昇降装置１０の全体構成を示す斜視図である。
【図４】昇降装置１０の主要部分の構成を拡大した斜視図である。
【図５】昇降装置１０においてフロントベース部材６を可動部材２０から取り外した状態を示す斜視図である。
【図６】フロントベース部材６の接続ボックス部６３と可動部材２０との固定の状態を示す断面斜視図である。
【図７】フロントベース部材６の接続ボックス部６３と可動部材２０との固定の状態を示す断面図である。
【図８】フロントベース部材６の接続ボックス部６３を示す斜視図である。
【図９】可動部材２０の構成を示す斜視図である。
【図１０】可動部材２０の構成を示す平面図である。
【図１１】第１実施形態の変形形態における可動部材２０Ａを示す斜視図である。
【図１２Ａ】第１実施形態の変形形態における接続ボックス部６３の下面取付用ベース部材側貫通穴６３４ａ，６３４ｂを示す図である。
【図１２Ｂ】第１実施形態の変形形態における接続ボックス部６３の下面取付用ベース部材側貫通穴６３５ａ，６３５ｂを示す図である。
【図１３】本発明の第２実施形態に係る昇降装置１０Ｂを示す図である。
【図１４】本発明の第３実施形態に係る昇降装置１０Ｃを示す図である。
【図１５】本発明の第４実施形態に係る昇降装置１０Ｄを示す図である。
【発明を実施するための形態】
【００１５】
以下、本発明の昇降装置１０を含む便器装置１の第１実施形態について、図面を参照しながら説明する。なお、本実施形態においては、便器装置１を正面から視た場合（便器装置１に対面した場合）における左右の向きを左右方向Ｘといい、左右方向Ｘの左方をＸ１、左右方向Ｘの右方をＸ２という。また、便器装置１を正面から視た場合（便器装置１に対面した場合）における前後の向きを前後方向Ｙといい、前後方向Ｙの前方をＹ１、前後方向Ｙの後方をＹ２という。垂直方向Ｚは、左右方向Ｘ及び前後方向Ｙと直交する。
【００１６】
第１実施形態の便器装置１は、図１及び図２に示すように、便座２と、便蓋３と、便器４と、便器側部カバー部材４１と、上部構成部としての機能部５と、本発明の昇降装置１０と、を備える。便座２及び便蓋３は、便器４の上方において、便器４に対して回動可能に取り付けられる。便器側部カバー部材４１は、便器装置１の下方における後部の側部に配置される。便器側部カバー部材４１は、便器装置１の後部において、便器４の後部及び配管等を側方から覆う。
【００１７】
機能部５は、便器４の後部の上部に配置される。機能部５は、機能部材（図示せず）と、ベース部材としてのフロントベース部材６と、リアベース部材７と、機能部材を覆う上部カバー部材８１と、を有する。機能部材としては、図示を省略するが、例えば、洗浄タンクや、ホースや、洗浄ノズルや、電源ユニットや、制御回路基板や、便座２及び便蓋３を電動で開閉させる電動開閉ユニットや、バルブユニットや、各種配管等が挙げられる。機能部材は、各種機能や他の部材との位置関係などを考慮して、フロントベース部材６やリアベース部材７やその他の設置位置に設置される。
【００１８】
フロントベース部材６は、便器４の後部の上方に配置される。フロントベース部材６は、樹脂材料により形成され、便器装置１の左右方向Ｘ及び前後方向Ｙに延びるように形成される。フロントベース部材６は、機能部５の機能部材（一部）を支持する。
フロントベース部材６の後部は、後述する昇降装置１０の可動部材２０に固定されている。フロントベース部材６は、昇降装置１０の可動部材２０が昇降されることで、上昇前の定位置（図１参照）又は上昇後の上昇位置（図２参照）に移動可能である。これにより、昇降装置１０は、機能部５の機能部材を昇降させる。フロントベース部材６は、後述する本発明の昇降装置１０の一部を構成する。昇降装置１０の詳細については後述する。
【００１９】
フロントベース部材６は、図１及び図２に示すように、前後方向Ｙの前方Ｙ１側の下部において、左右方向Ｘの略中央において下面部６５よりも下方に膨出する膨出部６４と、左右方向Ｘの両端部側に形成される下面部６５と、を有する。膨出部６４は、フロントベース部材６が昇降することにより、便器４の後部の左右方向Ｘの中央に形成された凹部４２に収容可能である。下面部６５は、左右方向Ｘの両端部側において、便器４の後部の上面４３に対向して配置され、フロントベース部材６が昇降することにより、便器４の後部の上面４３から離れる方向又は便器４の後部の上面４３に近づく方向に移動可能である。
【００２０】
リアベース部材７は、フロントベース部材６の後方Ｙ２側に配置される。フロントベース部材６は、樹脂材料により形成され、便器装置１の左右方向Ｘ及び前後方向Ｙに延びるように形成される。リアベース部材７には、機能部５の機能部材が設置される。
リアベース部材７には、後述する昇降装置１０の駆動装置３０が配置される。可動部材２０が駆動装置３０により昇降されることで、リアベース部材７に対して、可動部材２０に固定されたフロントベース部材が昇降する。昇降装置１０の詳細については後述する。
【００２１】
上部カバー部材８１は、便器装置１の上方における後部に配置される。上部カバー部材８１は、便器装置１の後部において、機能部５の機能部材を上方から覆う。上部カバー部材８１は、フロントベース部材６に取り付けられている。上部カバー部材８１には、便座２及び便蓋３が、便器４に対して開閉可能に取り付けられる。上部カバー部材８１、便座２及び便蓋３は、可動部材２０の昇降に連動して、フロントベース部材６が昇降することで、垂直方向Ｚに移動する。
【００２２】
次に、本発明の昇降装置１０の詳細について、図面を参照しながら説明する。
昇降装置１０は、図３〜図７に示すように、フロントベース部材６と、可動部材２０と、駆動装置３０と、を備える。本実施形態においては、フロントベース部材６は、可動部材２０に固定される。駆動装置３０により可動部材２０が昇降されることで、可動部材２０に固定されたフロントベース部材６は、垂直方向Ｚに移動する。
【００２３】
まず、フロントベース部材６について説明する。
フロントベース部材６は、図１〜図３に示すように、可動部材２０に固定される。フロントベース部材６は、便器４の後部の上方側に配置される。フロントベース部材６は、機能部５の機能部材を支持する。
【００２４】
フロントベース部材６は、図５に示すように、底部側プレート６１と、周壁プレート６２と、接続部としての接続ボックス部６３と、を有する。
底部側プレート６１は、フロントベース部材６の底部側に配置され、左右方向Ｘ及び前後方向Ｙに延びるように形成される。底部側プレート６１の上面には、機能部５の機能部材（図示せず）が配置される。
周壁プレート６２は、底部側プレート６１の周縁において、立ち上がるように形成される。
【００２５】
接続ボックス部６３は、図５及び図８に示すように、フロントベース部材６における周壁プレート６２の後部に設けられる。接続ボックス部６３は、フロントベース部材６の後部において、後方に突出するように形成される。接続ボックス部６３は、フロントベース部材６において、機能部５の機能部材が配置される部分よりも後方に突出するように配置される。接続ボックス部６３は、外形が箱状に形成され、前後方向Ｙに所定の幅を有し、垂直方向Ｚに厚みを有し、左右方向Ｘに延びている。
【００２６】
接続ボックス部６３は、図８に示すように、一の面としての上面６０ａと、他の面としての下面６０ｂと、側面としての後ろ面６０ｃと、一対の側面６０ｄ、６０ｄと、を有する。
上面６０ａは、接続ボックス部６３における上方側を向く面により形成される。本実施形態では、上面６０ａは、接続ボックス部６３における上端部側の面であり、左右方向Ｘ及び前後方向Ｙに平行な上方側を向く水平面により形成される。上面６０ａは、後述する可動部材２０の第１水平プレート２１を受ける受け面である。なお、上面６０ａは、接続ボックス部６３の上部が凹凸を有する場合には少なくともその凹凸の一部で構成されていればよく、上方側を向く面であればよい。上面６０ａは、最上部の面に限定されず、水平面にも限定されない。
【００２７】
下面６０ｂは、接続ボックス部６３における下方側を向く面により形成される。本実施形態では、下面６０ｂは、接続ボックス部６３における下端部側の面であり、左右方向Ｘ及び前後方向Ｙに平行な下方側を向く水平面により形成される。なお、下面６０ｂは、接続ボックス部６３の下部が凹凸を有する場合には少なくともその凹凸の一部で構成されていればよく、下方側を向く面であればよい。下面６０ｂは、最下部の面に限定されず、水平面にも限定されない。
【００２８】
後ろ面６０ｃは、接続ボックス部６３における後方側を向く面により形成される。本実施形態では、後ろ面６０ｃは、接続ボックス部６３の後端部における枠状の部分の面であり、左右方向Ｘ及び垂直方向Ｚに平行な後方側を向く面である。本実施形態においては、接続ボックス部６３の後部が凹凸を有しているが、後ろ面６０ｃは、接続ボックス部６３の後部が凹凸を有する場合には少なくともその凹凸の一部で構成されていればよく、後方側を向く面であればよい。後ろ面６０ｃは、最後部の面に限定されず、垂直面にも限定されない。
【００２９】
一対の側面６０ｄ、６０ｄは、接続ボックス部６３における左右方向Ｘの両端部の側部に形成される。側面６０ｄは、前後方向Ｙ及び垂直方向Ｚに平行な面である。
【００３０】
接続ボックス部６３は、図４及び図５に示すように、可動部材２０に固定される。接続ボックス部６３は、垂直方向Ｚにおいて、可動部材２０における第１水平プレート２１（後述）と第２水平プレート２３（後述）との間に配置される。接続ボックス部６３は、第１水平プレート２１と第２水平プレート２３とに挟まれるように配置された状態で、第１水平プレート２１の固定下面２０１（第１固定面）（後述）及び第２水平プレート２３の固定上面２０３（第２固定面）（後述）において、第１水平プレート２１及び第２水平プレート２３に固定されている。
【００３１】
接続ボックス部６３は、図８に示すように、２つの下面取付用ベース部材側取付貫通穴６３１ａ，６３１ｂと、２つのモータ枠体用ベース部材側貫通穴６３２ａ，６３２ｂと、２つの上面取付用ベース部材側取付ねじ穴６３３ａ，６３３ｂと、を有する。
２つの下面取付用ベース部材側取付貫通穴６３１ａ，６３１ｂ及び２つのモータ枠体用ベース部材側貫通穴６３２ａ，６３２ｂは、断面が円形状に形成され、接続ボックス部６３を垂直方向Ｚに貫通し、接続ボックス部６３の上面６０ａと下面６０ｂとを連通する。２つの上面取付用ベース部材側取付ねじ穴６３３ａ，６３３ｂは、断面が円形状に形成され、接続ボックス部６３の上面６０ａから所定の長さで下方側に窪んで延び、内周面にねじ山が形成される。
【００３２】
２つの下面取付用ベース部材側取付貫通穴６３１ａ，６３１ｂ、２つのモータ枠体用ベース部材側貫通穴６３２ａ，６３２ｂ及び２つの上面取付用ベース部材側取付ねじ穴６３３ａ，６３３ｂは、左右方向Ｘにおける左方Ｘ１側から右方Ｘ２側に向かって、第１下面取付用ベース部材側取付貫通穴６３１ａ、第１上面取付用ベース部材側取付ねじ穴６３３ａ、第１モータ枠体用ベース部材側貫通穴６３２ａ、第２上面取付用ベース部材側取付ねじ穴６３３ｂ、第２モータ枠体用ベース部材側貫通穴６３２ｂ、第２下面取付用ベース部材側取付貫通穴６３１ｂの順に並んで配置される。
【００３３】
２つの下面取付用ベース部材側取付貫通穴６３１ａ，６３１ｂは、図８に示すように、前後方向Ｙの第２固定位置Ｋ２において、左右方向Ｘに離間して配置される。第２固定位置Ｋ２は、後述する可動部材２０においても説明する通り、下面固定用長尺ねじ部材１０２（図５参照）により、可動部材２０の第２水平プレート２３の固定上面２０３とフロントベース部材６とが固定される前後方向Ｙにおける固定位置である。２つの下面取付用ベース部材側取付貫通穴６３１ａ，６３１ｂは、接続ボックス部６３と可動部材２０の第２水平プレート２３の固定上面２０３とを、下面固定用長尺ねじ部材１０２（図５参照）により固定するために、下面固定用長尺ねじ部材１０２の棒状部分が挿通される貫通穴である。
【００３４】
左方Ｘ１側の第１下面取付用ベース部材側取付貫通穴６３１ａは、図６及び図７に示すように、可動部材２０の第１水平プレート２１と第２水平プレート２３との間にフロントベース部材６の接続ボックス部６３が配置された状態において、上方から下方に向かって、可動部材２０の下面取付用上面側貫通穴２１１、第１下面取付用ベース部材側取付貫通穴６３１ａ、可動部材２０の第１下面取付用ねじ穴２３２ａの順に配置されて連通するように、可動部材２０の下面取付用上面側貫通穴２１１及び第１下面取付用ねじ穴２３２ａに対応して形成される。
【００３５】
右方Ｘ２側の第２下面取付用ベース部材側取付貫通穴６３１ｂは、図６及び図７に示すように、可動部材２０の第１水平プレート２１と第２水平プレート２３との間にフロントベース部材６の接続ボックス部６３が配置された状態において、上方から下方に向かって、第２下面取付用ベース部材側取付貫通穴６３１ｂ、可動部材２０の第２下面取付用ねじ穴２３２ｂの順に配置されて連通するように、可動部材２０の第２下面取付用ねじ穴２３２ｂに対応して形成される。
【００３６】
上面取付用ベース部材側取付ねじ穴６３３ａ，６３３ｂは、接続ボックス部６３と可動部材２０の第１水平プレート２１の固定下面２０１とを、上面固定用ねじ部材１０１により固定するためのねじ穴である。
２つの上面取付用ベース部材側取付ねじ穴６３３ａ，６３３ｂは、図８に示すように、前後方向Ｙの第１固定位置Ｋ１において、左右方向Ｘに離間して配置される。第１固定位置Ｋ１は、後述する可動部材２０においても説明する通り、上面固定用ねじ部材１０１により、可動部材２０の第１水平プレート２１の固定下面２０１とフロントベース部材６とが固定される前後方向Ｙにおける固定位置である。第１固定位置Ｋ１は、前後方向Ｙにおいて、前述の第２固定位置Ｋ２とずれて位置する。
【００３７】
左方Ｘ１側の第１上面取付用ベース部材側取付ねじ穴６３３ａは、図６及び図７に示すように、可動部材２０の第１水平プレート２１と第２水平プレート２３との間にフロントベース部材６の接続ボックス部６３が配置された状態において、上方から下方に向かって、可動部材２０の第１上面取付用取付穴２１３ａ、第１上面取付用ベース部材側取付ねじ穴６３３ａの順に配置されて連通するように、可動部材２０の第１上面取付用取付穴２１３ａに対応して形成される。
【００３８】
右方Ｘ２側の第２上面取付用ベース部材側取付ねじ穴６３３ｂは、図６及び図７に示すように、可動部材２０の第１水平プレート２１と第２水平プレート２３との間にフロントベース部材６の接続ボックス部６３が配置された状態において、上方から下方に向かって、可動部材２０の第２上面取付用取付穴２１３ｂ、第２上面取付用ベース部材側取付ねじ穴６３３ｂの順に配置されて連通するように、可動部材２０の第２上面取付用取付穴２１３ｂに対応して形成される。
【００３９】
２つのモータ枠体用ベース部材側貫通穴６３２ａ，６３２ｂは、モータ枠体固定用ねじ部材１０３及びモータ枠体固定用ねじ部材１０３を回すためのドライバー（図示せず）の軸部分が挿通される貫通穴である。
【００４０】
左方Ｘ１側の第１モータ枠体用ベース部材側貫通穴６３２ａは、図６及び図７に示すように、可動部材２０の第１水平プレート２１と第２水平プレート２３との間にフロントベース部材６の接続ボックス部６３が配置された状態において、上方から下方に向かって、可動部材２０のモータ枠体用上面側貫通穴２１２、第１モータ枠体用ベース部材側貫通穴６３２ａ、可動部材２０の第１モータ枠体用下面側貫通穴２３１ａの順に配置されて連通するように、可動部材２０のモータ枠体用上面側貫通穴２１２及び第１モータ枠体用下面側貫通穴２３１ａに対応して形成される。
【００４１】
右方Ｘ２側の第２モータ枠体用ベース部材側貫通穴６３２ｂは、図６及び図７に示すように、可動部材２０の第１水平プレート２１と第２水平プレート２３との間にフロントベース部材６の接続ボックス部６３が配置された状態において、上方から下方に向かって、第２モータ枠体用ベース部材側貫通穴６３２ｂ、可動部材２０の第２モータ枠体用下面側貫通穴２３１ｂの順に配置されて連通するように、可動部材２０の第２モータ枠体用下面側貫通穴２３１ｂに対応して形成される。
【００４２】
次に、可動部材２０について説明する。
可動部材２０は、図９に示すように、第１水平プレート２１と、垂直プレート２２と、第２水平プレート２３と、を有する。可動部材２０の第１水平プレート２１、垂直プレート２２及び第２水平プレート２３は、第１水平プレート２１の固定下面２０１（後述）、垂直プレート２２の固定側面２０２（後述）及び第２水平プレート２３の固定上面２０３（後述）において、フロントベース部材６を固定する。
【００４３】
第１水平プレート２１の固定下面２０１（後述）は、図７に示すように、フロントベース部材６の接続ボックス部６３の上面６０ａ（受け面）の上部に配置され、接続ボックス部６３の上面６０ａにおいて、上面固定用ねじ部材１０１により、フロントベース部材６を固定する。上面固定用ねじ部材１０１は、頭部と棒状部分とを有する。上面固定用ねじ部材１０１の棒状部分の先端側には、ねじ山状のねじ部分が形成されている。
【００４４】
第１水平プレート２１は、図９に示すように、水平方向に広がる板状に形成され、前後方向Ｙに所定幅を有し、左右方向Ｘに連続して延びる。第１水平プレート２１は、固定下面２０１（第１固定面）を有する。固定下面２０１は、第１水平プレート２１におけるフロントベース部材６の接続ボックス部６３が配置される側の面である。本実施形態においては、固定下面２０１は、第１水平プレート２１の下面である。第１水平プレート２１の後端部には、垂直プレート２２の上端部が接続される。第１水平プレート２１は、下面取付用上面側貫通穴２１１と、モータ枠体用上面側貫通穴２１２と、２つの上面取付用取付穴２１３ａ，２１３ｂと、を有する。下面取付用上面側貫通穴２１１、モータ枠体用上面側貫通穴２１２及び２つの上面取付用取付穴２１３ａ，２１３ｂは、左右方向Ｘにおける左方Ｘ１側から右方Ｘ２側に向かって、下面取付用上面側貫通穴２１１、第１上面取付用取付穴２１３ａ、モータ枠体用上面側貫通穴２１２、第２上面取付用取付穴２１３ｂの順に並んで配置される。
【００４５】
下面取付用上面側貫通穴２１１、モータ枠体用上面側貫通穴２１２及び２つの上面取付用取付穴２１３ａ，２１３ｂは、断面が円形状に形成され、第１水平プレート２１を垂直方向Ｚに貫通して形成される。
下面取付用上面側貫通穴２１１は、下面固定用長尺ねじ部材１０２（図５参照）の頭部の径よりも大きな径の大きさで形成される。下面取付用上面側貫通穴２１１には、下面固定用長尺ねじ部材１０２（図５参照）の頭部及び棒状部分が通り抜け可能である。
モータ枠体用上面側貫通穴２１２は、ドライバー（図示せず）の軸部分が通ることが可能な径の大きさで形成される。
【００４６】
上面取付用取付穴２１３ａ，２１３ｂは、上面固定用ねじ部材１０１（図５参照）の頭部の径よりも小さな径の大きさで形成され、上面固定用ねじ部材１０１（図５参照）の棒状部分が通り抜け可能で且つ頭部が通り抜け不能である。
上面取付用取付穴２１３ａ，２１３ｂは、図６及び図７に示すように、第１水平プレート２１と第２水平プレート２３との間にフロントベース部材６の接続ボックス部６３が配置された状態において、上面取付用取付穴２１３ａ，２１３ｂに上面固定用ねじ部材１０１が挿通され、上面取付用取付穴２１３ａ，２１３ｂの上面側の開口の周縁に上面固定用ねじ部材１０１の頭部が係止された状態で、上面固定用ねじ部材１０１の先端側のねじ部分が、接続ボックス部６３の上面取付用ベース部材側取付ねじ穴６３３ａ，６３３ｂに螺合される。つまり、上面取付用取付穴２１３ａ，２１３ｂの中心部分において、第１水平プレート２１の第１固定面２０１には、上面固定用ねじ部材１０１により、フロントベース部材６が固定される。上面取付用取付穴２１３ａ，２１３ｂの中心部分は、図１０に示すように、前後方向Ｙにおける第１固定位置Ｋ１に位置する。第１水平プレート２１の第１固定面２０１は、フロントベース部材６を、上面固定用ねじ部材１０１により、前後方向Ｙにおける第１固定位置Ｋ１で固定する。
【００４７】
垂直プレート２２は、図９に示すように、第１水平プレート２１の後端部から垂直方向Ｚの下方に延びる。垂直プレート２２は、垂直方向Ｚに広がる板状に形成され、垂直方向Ｚに所定長さを有し、左右方向Ｘに連続して延びる。垂直プレート２２は、固定側面２０２を有する。固定側面２０２は、垂直プレート２２におけるフロントベース部材６が配置される側の面である。垂直プレート２２の固定側面２０２は、フロントベース部材６の接続ボックス部６３の後ろ面６０ｃに配置され、接続ボックス部６３の後ろ面６０ｃにおいて、フロントベース部材６を固定する。
垂直プレート２２の下端部には、第２水平プレート２３が接続される。垂直プレート２２の後方側の面には、取付板３１１を介して、駆動装置３０（後述）のラック３１が接続されている。
【００４８】
第２水平プレート２３の固定上面２０３（後述）は、図７に示すように、フロントベース部材６の接続ボックス部６３の下面６０ｂに配置され、接続ボックス部６３の下面６０ｂにおいて、下面固定用長尺ねじ部材１０２により、フロントベース部材６を固定する。下面固定用長尺ねじ部材１０２は、頭部と長尺状の棒状部分とを有する。下面固定用長尺ねじ部材１０２の棒状部分の先端側には、ねじ山状のねじ部分が形成されている。
【００４９】
第２水平プレート２３は、図９に示すように、垂直プレート２２の下端部から前後方向Ｙの前方Ｙ１に延びる。第２水平プレート２３は、水平方向に広がる板状に形成され、左右方向Ｘに連続して延びる。第２水平プレート２３は、固定上面２０３（第２固定面）を有する。固定上面２０３は、第２水平プレート２３におけるフロントベース部材６の接続ボックス部６３が配置される側の面である。本実施形態においては、固定上面２０３は、第２水平プレート２３の上面である。第２水平プレート２３は、第１水平プレート２１の下方に配置され、第１水平プレート２１と平行に配置される。これにより、第１水平プレート２１と第２水平プレート２３との間には、フロントベース部材６の接続ボックス部６３（後述）が配置可能である。本実施形態においては、第１水平プレート２１の固定下面２０１と第２水平プレート２３の固定上面２０３との間の距離は、フロントベース部材６の接続ボックス部６３の高さとほぼ同じである。これにより、フロントベース部材６の接続ボックス部６３は、第１水平プレート２１と第２水平プレート２３とに挟まれるように配置される。第２水平プレート２３は、前後方向Ｙにおいて、垂直プレート２２からの長さが、第１水平プレート２１よりも長く形成される。つまり、前後方向Ｙにおいて、第２水平プレート２３の先端部は、第１水平プレート２１の先端部よりも、前方Ｙ１側に位置する。また、第２水平プレート２３は、第１水平プレート２１よりも右方Ｘ２に長く形成される。
【００５０】
第２水平プレート２３は、２つのモータ枠体用下面側貫通穴２３１ａ，２３１ｂと、２つの下面取付用ねじ穴２３２ａ，２３２ｂと、を有する。２つのモータ枠体用下面側貫通穴２３１ａ，２３１ｂ及び２つの下面取付用ねじ穴２３２ａ，２３２ｂは、第２水平プレート２３の後方Ｙ２側において、左右方向Ｘにおける左方Ｘ１側から右方Ｘ２側に向かって、第１下面取付用ねじ穴２３２ａ、第１モータ枠体用下面側貫通穴２３１ａ、第２モータ枠体用下面側貫通穴２３１ｂ、第２下面取付用ねじ穴２３２ｂの順に並んで配置される。
２つのモータ枠体用下面側貫通穴２３１ａ，２３１ｂ及び２つの下面取付用ねじ穴２３２ａ，２３２ｂは、断面が円形状に形成され、第２水平プレート２３を垂直方向Ｚに貫通して形成される。
【００５１】
第１下面取付用ねじ穴２３２ａ及び第２下面取付用ねじ穴２３２ｂは、図９に示すように、左右方向Ｘにおいて駆動装置３０のラック３１を挟むように、左右方向Ｘに離間して配置される。第１下面取付用ねじ穴２３２ａ及び第２下面取付用ねじ穴２３２ｂがこのような位置に配置されることで、駆動装置３０から動力が伝達される動力伝達部としてのラック３１の左右方向Ｘの両側において、下面固定用長尺ねじ部材１０２により、第２水平プレート２３の固定上面２０３とフロントベース部材６とを固定する。
【００５２】
可動部材２０が動力伝達部としてのラック３１の両側において固定されるため、ラック３１の片側で固定するよりも、ラック３１（動力伝達部）から可動部材２０へ伝達される動力の伝達効率を向上できる。
また、可動部材２０が機能部５の重心の左右方向Ｘの両側において固定されるため、固定部分の下面固定用長尺ねじ部材１０２の負担を軽減させることができる。これにより、下面固定用長尺ねじ部材１０２により固定される固定部分の耐久性を向上させることができると共に、下面固定用長尺ねじ部材１０２の緩みを防止することができる。
また、可動部材２０を固定する下面固定用長尺ねじ部材１０２の左右方向Ｘの間隔が広がるため、可動部材２０の全体がフロントベース部材６と密着しやすくなる。これにより、可動部材２０の変形を一層低減させることができる。
【００５３】
左方Ｘ１側の第１下面取付用ねじ穴２３２ａは、第１水平プレート２１の下面取付用上面側貫通穴２１１に対応して、下面取付用上面側貫通穴２１１の下方に配置される。左方Ｘ１側の第１下面取付用ねじ穴２３２ａには、下面固定用長尺ねじ部材１０２（図５参照）の先端側のねじ部分が螺合される。
【００５４】
左方Ｘ１側の第１下面取付用ねじ穴２３２ａは、図６及び図７に示すように、第１水平プレート２１と第２水平プレート２３との間にフロントベース部材６の接続ボックス部６３が配置された状態において、下面固定用長尺ねじ部材１０２（図５参照）が第１水平プレート２１の下面取付用上面側貫通穴２１１とフロントベース部材６の接続ボックス部６３の第１下面取付用ベース部材側取付貫通穴６３１ａとに挿通され、接続ボックス部６３の第１下面取付用ベース部材側取付貫通穴６３１ａの上面側の開口の周縁に下面固定用長尺ねじ部材１０２の頭部が係止された状態で、下面固定用長尺ねじ部材１０２の先端側のねじ部分が螺合される接続部分である。
【００５５】
右方Ｘ２側の第２下面取付用ねじ穴２３２ｂには、下面固定用長尺ねじ部材１０２（図５参照）の先端側のねじ部分が螺合される。第２下面取付用ねじ穴２３２ｂは、第２水平プレート２３の上方にフロントベース部材６の接続ボックス部６３が配置された状態において、下面固定用長尺ねじ部材１０２がフロントベース部材６の接続ボックス部６３の第２下面取付用ベース部材側取付貫通穴６３１ｂに挿通され、接続ボックス部６３の第２下面取付用ベース部材側取付貫通穴６３１ｂの上面側の開口の周縁に下面固定用長尺ねじ部材１０２の頭部が係止された状態で、下面固定用長尺ねじ部材１０２の先端側のねじ部分が螺合される接続部分である。
【００５６】
下面取付用ねじ穴２３２ａ，２３２ｂの中心部分において、第２水平プレート２３の固定上面２０３には、下面固定用長尺ねじ部材１０２により、フロントベース部材６が固定される。下面取付用ねじ穴２３２ａ，２３２ｂの中心部分は、図１０に示すように、前後方向Ｙにおける第２固定位置Ｋ２に位置する。第２水平プレート２３の固定上面２０３は、フロントベース部材６を、下面固定用長尺ねじ部材１０２により、前後方向Ｙにおける第２固定位置Ｋ２で固定する。
【００５７】
可動部材２０において、図１０に示すように、上面固定用ねじ部材１０１により第１水平プレート２１の固定下面２０１とフロントベース部材６とを固定する第１固定位置Ｋ１と、下面固定用長尺ねじ部材１０２により第２水平プレート２３の固定上面２０３とフロントベース部材６とを固定する第２固定位置Ｋ２とは、便器４の前後方向Ｙにおいてずれた位置となっている。これにより、可動部材２０に掛かるフロントベース部材６からの荷重による垂直方向Ｚ及び前後方向Ｙへの曲げ応力に対して、ガタツキが低減され、ねじ部材の緩みを低減することができる。よって、可動部材２０の変形を一層低減できる。
【００５８】
モータ枠体用下面側貫通穴２３１ａ，２３１ｂは、図９に示すように、モータ枠体固定用ねじ部材１０３（図５参照）の頭部よりも大きな径の大きさで形成される。モータ枠体用下面側貫通穴２３１ａ，２３１ｂには、モータ枠体固定用ねじ部材１０３（図５参照）の頭部及び棒状部分が通り抜け可能である。モータ枠体用下面側貫通穴２３１ａ，２３１ｂは、モータ枠体固定用ねじ部材１０３及びモータ枠体固定用ねじ部材１０３を回すためのドライバー（図示せず）の軸部分が挿通される貫通穴である。
【００５９】
左方Ｘ１側の第１モータ枠体用下面側貫通穴２３１ａは、図９に示すように、第１水平プレート２１のモータ枠体用上面側貫通穴２１２に対応して、モータ枠体用上面側貫通穴２１２の下方に配置される。右方Ｘ２側の第２モータ枠体用下面側貫通穴２３１ｂは、左方Ｘ１側の第１モータ枠体用下面側貫通穴２３１ａの右方Ｘ２側に離間して配置される。
【００６０】
モータ枠体用下面側貫通穴２３１ａ，２３１ｂの下方には、図６及び図７に示すように、モータ支持枠体３４の枠体底部プレート３４１の底部プレート取付穴３４２ａ，３４２ｂが配置され、底部プレート取付穴３４２ａ，３４２ｂの下方には、リアベース部材７のリアベース底部側プレート７１の底部側プレート取付ねじ穴７１１ａが配置されている。
【００６１】
底部プレート取付穴３４２ａ，３４２ｂには、モータ枠体固定用ねじ部材１０３が挿通され、モータ枠体固定用ねじ部材１０３の頭部が底部プレート取付穴３４２ａの上面側の開口の周縁に係止される。リアベース部材７のリアベース底部側プレート７１には、底部側プレート取付ねじ穴７１１ａが形成され、底部側プレート取付ねじ穴７１１ａには、底部プレート取付穴３４２ａ，３４２ｂを挿通されたモータ枠体固定用ねじ部材１０３の先端側が螺合される。
【００６２】
次に、駆動装置３０について説明する。
駆動装置３０は、図４に示すように、リアベース部材７の上面に配置される。駆動装置３０は、垂直方向Ｚに延びるラック３１と、ラック３１に噛み合うピニオン３２と、ピニオン３２を回転させるモータ３３と、モータ支持枠体３４と、を有する。
【００６３】
モータ支持枠体３４は、モータ３３を支持する。モータ支持枠体３４は、図６及び図７に示すように、底部側において、枠体底部プレート３４１を有する。枠体底部プレート３４１には、底部プレート取付穴３４２ａ，３４２ｂが形成されており、モータ支持枠体３４は、底部プレート取付穴３４２ａ，３４２ｂを介して、モータ枠体固定用ねじ部材１０３により、リアベース部材７に固定される。
ラック３１は、可動部材２０に接続されている。
【００６４】
以上の駆動装置３０においては、モータ３３が駆動することにより、ピニオン３２が回転する。これにより、ピニオン３２に噛み合うラック３１は、垂直方向Ｚに移動する。そして、ラック３１に接続される可動部材２０が垂直方向Ｚに移動することで、可動部材２０に固定されたフロントベース部材６は、フロントベース部材６に配置された機能部５の機能部材と共に、垂直方向Ｚに移動する。
【００６５】
以上のように構成されるフロントベース部材６及び可動部材２０について、フロントベース部材６を可動部材２０に固定する方法について説明する。
【００６６】
まず、可動部材２０が取付られた駆動装置３０をリアベース部材７に固定する。具体的には、図５に示すように、駆動装置３０のモータ３３を支持するモータ支持枠体３４を、リアベース部材７のリアベース底部側プレート７１に固定する。駆動装置３０のラック３１には、可動部材２０が取り付けられている。
図５に示すように、モータ枠体固定用ねじ部材１０３を、第１モータ枠体用下面側貫通穴２３１ａに挿入する。そして、ドライバー（図示せず）の軸部分を、モータ枠体用上面側貫通穴２１２及び底部プレート取付穴３４２ａ（図５及び図６）に挿通させて、ドライバーを用いて、図６及び図７に示すように、モータ枠体固定用ねじ部材１０３の頭部を底部プレート取付穴３４２ａの上面側の開口の周縁に係止させた状態で、モータ枠体固定用ねじ部材１０３の先端部を、リアベース底部側プレート７１の底部側プレート取付ねじ穴７１１ａに螺合させる。
【００６７】
また、図５に示すように、モータ枠体固定用ねじ部材１０３を、第２モータ枠体用下面側貫通穴２３１ｂに挿入する。そして、ドライバー（図示せず）を用いて、図６及び図７に示すように、モータ枠体固定用ねじ部材１０３の頭部を底部プレート取付穴３４２ｂの上面側の開口の周縁に係止させた状態で、モータ枠体固定用ねじ部材１０３の先端部を、リアベース底部側プレート７１の底部側プレート取付ねじ穴７１１ｂに螺合させる。
このようにして、図６及び図７に示すように、モータ支持枠体３４を、リアベース部材７のリアベース底部側プレート７１に固定する。
【００６８】
次に、フロントベース部材６の接続ボックス部６３を、可動部材２０の第１水平プレート２１と第２水平プレート２３との間に配置する。この状態においては、接続ボックス部６３は、第１水平プレート２１と第２水平プレート２３との間に挟まれるように配置されている。
【００６９】
続けて、フロントベース部材６の接続ボックス部６３を、第２水平プレート２３の固定上面２０３において、第２水平プレート２３に固定する。
図５に示すように、可動部材２０の下面取付用上面側貫通穴２１１の上方において、下面固定用長尺ねじ部材１０２を上方から下方に移動させて、下面固定用長尺ねじ部材１０２を、可動部材２０の左方側の下面取付用上面側貫通穴２１１及び第１下面取付用ベース部材側取付貫通穴６３１ａに挿通させる。そして、図６及び図７に示すように、下面固定用長尺ねじ部材１０２の頭部を下面取付用上面側貫通穴２１１の上面側の開口の周縁に係止させた状態で、下面固定用長尺ねじ部材１０２の先端部を、第２水平プレート２３の第１下面取付用ねじ穴２３２ａに螺合させる。
【００７０】
また、図５に示すように、フロントベース部材６の接続ボックス部６３の第２下面取付用ベース部材側取付貫通穴６３１ｂの上方において、下面固定用長尺ねじ部材１０２を上方から下方に移動させて、下面固定用長尺ねじ部材１０２を、第２下面取付用ベース部材側取付貫通穴６３１ｂに挿通させる。そして、図６及び図７に示すように、下面固定用長尺ねじ部材１０２の頭部を第２下面取付用ベース部材側取付貫通穴６３１ｂの上面側の開口の周縁に係止させた状態で、下面固定用長尺ねじ部材１０２の先端部を、第２水平プレート２３の第２下面取付用ねじ穴２３２ｂに螺合させる。
このようにして、図６及び図７に示すように、フロントベース部材６の接続ボックス部６３を第２水平プレート２３の固定上面２０３に固定する。
【００７１】
次に、フロントベース部材６の接続ボックス部６３を、第１水平プレート２１の固定下面２０１において、第１水平プレート２１に固定する。
図５に示すように、可動部材２０の第１上面取付用取付穴２１３ａの上方において、上面固定用ねじ部材１０１を上方から下方に移動させて、上面固定用ねじ部材１０１を、可動部材２０の第１上面取付用取付穴２１３ａに挿通させる。そして、図６及び図７に示すように、上面固定用ねじ部材１０１の頭部を第１上面取付用取付穴２１３ａの上面側の開口の周縁に係止させた状態で、上面固定用ねじ部材１０１の先端部を、第１上面取付用ベース部材側取付ねじ穴６３３ａに螺合させる。
【００７２】
また、図５に示すように、可動部材２０の第２上面取付用取付穴２１３ｂの上方において、上面固定用ねじ部材１０１を上方から下方に移動させて、上面固定用ねじ部材１０１を、可動部材２０の第２上面取付用取付穴２１３ｂに挿通させる。そして、図６及び図７に示すように、上面固定用ねじ部材１０１の頭部を第２上面取付用取付穴２１３ｂの上面側の開口の周縁に係止させた状態で、上面固定用ねじ部材１０１の先端部を、第２上面取付用ベース部材側取付ねじ穴６３３ｂに螺合させる。
このようにして、図６及び図７に示すように、フロントベース部材６の下面６０ｂにおいて、接続ボックス部６３を第１水平プレート２１の固定下面２０１に固定する。
【００７３】
このようにして、第１水平プレート２１の固定下面２０１とフロントベース部材６とは、可動部材２０及びフロントベース部材６を固定位置に位置させた状態で、第１水平プレート２１の上方から移動される下面固定用長尺ねじ部材１０２により固定される。また、第２水平プレート２３の固定上面２０３とフロントベース部材６とは、可動部材２０及びフロントベース部材６を固定位置に位置させた状態で、フロントベース部材６の上方から移動される上面固定用ねじ部材１０１により固定される。また、垂直プレート２２の固定側面２０２とフロントベース部材６とが固定される。
【００７４】
ここで、フロントベース部材６において、機能部５の機能部材が配置される部分よりも後方に突出するように接続ボックス部６３を設けた。そのため、フロントベース部材６は、接続ボックス部６３において、可動部材２０に固定される。これにより、フロントベース部材６における機能部５の機能部材が配置される部分には、可動部材２０と固定するための構造を設けなくてよいため、他の機能部材等の配置のレイアウトの自由度が向上する。また、フロントベース部材６を接続ボックス部６３において可動部材２０に固定すればよいため、フロントベース部材６を可動部材２０に固定する作業の作業性を向上できる。
【００７５】
また、フロントベース部材６を可動部材２０に固定した状態において、モータ支持枠体３４を、リアベース部材７のリアベース底部側プレート７１から取り外すことができる。
図７に示すような状態において、モータ枠体用上面側貫通穴２１２の上方から、ドライバー（図示せず）に軸部分を、モータ枠体用上面側貫通穴２１２、第１モータ枠体用ベース部材側貫通穴６３２ａ、第１モータ枠体用下面側貫通穴２３１ａの順に通過させる。そして、ドライバー（図示せず）を用いて、モータ枠体固定用ねじ部材１０３を、リアベース底部側プレート７１の底部側プレート取付ねじ穴７１１ａとの螺合を解除する方向に回転させる。これにより、モータ枠体固定用ねじ部材１０３を、リアベース底部側プレート７１の底部側プレート取付ねじ穴７１１ａから外すことができる。
また、第２モータ枠体用ベース部材側貫通穴６３２ｂの上方から、ドライバー（図示せず）を、第２モータ枠体用ベース部材側貫通穴６３２ｂ、第２モータ枠体用下面側貫通穴２３１ｂの順に通過させる。そして、ドライバー（図示せず）を用いて、モータ枠体固定用ねじ部材１０３を、リアベース底部側プレート７１の底部側プレート取付ねじ穴７１１ｂとの螺合を解除する方向に回転させる。これにより、モータ枠体固定用ねじ部材１０３を、リアベース底部側プレート７１の底部側プレート取付ねじ穴７１１ｂから外すことができる。
このようにして、フロントベース部材６を可動部材２０に固定したままで、モータ支持枠体３４を、リアベース部材７のリアベース底部側プレート７１から取り外すことで、リアベース部材７から、駆動装置３０、可動部材２０及びフロントベース部材６を取り外すことができる。
【００７６】
なお、第１モータ枠体用ベース部材側貫通穴６３２ａ及び第２モータ枠体用ベース部材側貫通穴６３２ｂは、フロントベース部材６に昇降装置１０を取り付けない場合に、フロントベース部材６をリアベース部材７に固定する際に、固定用の長尺のねじ部材（図示せず）を挿通させるための貫通穴として用いることができる。
【００７７】
次に、本発明の昇降装置１０の動作について説明する。
便器４と機能部５の機能部材との間に隙間を広く形成して、便器４の上面などを清掃したい場合には、例えば、リモコン操作部（図示せず）を操作することで、機能部５の機能部材が配置されたフロントベース部材６を上昇させる。
例えば、リモコン操作部（図示せず）を操作することで、駆動装置３０のモータ３３を駆動させて、可動部材２０及びフロントベース部材６を、上昇前の定位置（図１参照）から上昇後の上昇位置（図２参照）に移動させる。これにより、便器４とフロントベース部材６との間の隙間が広がって、便器４とフロントベース部材６との間の隙間に手を入れやすくなる。よって、便器４の上面４３などを容易に清掃することができる。
【００７８】
本実施形態においては、フロントベース部材６が第１水平プレート２１と第２水平プレート２３とにより垂直方向Ｚにおいて挟まれるように配置された状態で、フロントベース部材６は、接続ボックス部６３の上面６０ａにおいて第１水平プレート２１の固定下面２０１に固定され、接続ボックス部６３の下面６０ｂにおいて第２水平プレート２３の固定上面２０３に固定される。従って、可動部材２０が変形することを低減して、フロントベース部材６が前方側の下方に傾くことを低減できる。これにより、フロントベース部材６を上昇させても、便器４とフロントベース部材６との間の隙間を広く確保して、使用者が便器４とフロントベース部材６との間の隙間に手を入れて、便器４の上面４３などを容易に清掃することができる。
【００７９】
また、第１水平プレート２１は、左右方向Ｘに連続して延びる。第２水平プレート２３は、左右方向Ｘに連続して延びる。そのため、可動部材２０の剛性が高い状態で、接続ボックス部６３は、第１水平プレート２１と第２水平プレート２３とに挟まれるように配置される。これにより、ガタツキを低減できる。
【００８０】
以上説明した本実施形態の昇降装置１０によれば、以下のような効果を奏する。
【００８１】
本実施形態の昇降装置１０は、便器装置１の便器４の上部に配置される機能部５の機能部材を昇降させる昇降装置１０であって、機能部の機能部材を支持するフロントベース部材６と、フロントベース部材６の上面６０ａに配置され上面６０ａにおいてフロントベース部材６を固定する第１水平プレート２１の固定下面２０１、及びフロントベース部材６の下面６０ｂに配置され下面６０ｂにおいてフロントベース部材６を固定する第２水平プレート２３の固定上面２０３を有する可動部材２０と、を備える。
そのため、フロントベース部材６が第１水平プレート２１の固定下面２０１と第２水平プレート２３の固定上面２０３との間に挟まれるように配置された状態で、可動部材２０は、フロントベース部材６の上面６０ａ及び下面６０ｂにおいて、フロントベース部材６を固定する。よって、可動部材２０の変形が少ない状態でフロントベース部材６を可動部材２０に固定するため、可動部材２０が変形することを低減できる。
【００８２】
また、本実施形態の昇降装置１０においては、第１水平プレート２１の固定下面２０１とフロントベース部材６とは、可動部材２０及びフロントベース部材６を固定位置に位置させた状態で、第１水平プレート２１の固定下面２０１の上方から下面固定用長尺ねじ部材１０２により固定されるように構成され、第２水平プレート２３の固定上面２０３とフロントベース部材６とは、可動部材２０及びフロントベース部材６を固定位置に位置させた状態で、フロントベース部材６の上方から上面固定用ねじ部材１０１により固定されるように構成される。
そのため、下面固定用長尺ねじ部材１０２と上面固定用ねじ部材１０１とを可動部材２０の上方側から移動させて、フロントベース部材６の上面６０ａ及び下面６０ｂにおいて、可動部材２０とフロントベース部材６とを固定することができる。これにより、ねじ部材を可動部材２０の上方側から移動させるだけで、フロントベース部材６の上面６０ａ及び下面６０ｂにおいて、フロントベース部材６を可動部材２０に容易に固定することができる。
【００８３】
また、本実施形態の昇降装置１０においては、第１水平プレート２１の固定下面２０１とフロントベース部材６とを固定する第１固定位置Ｋ１と、第２水平プレート２３の固定上面２０３とフロントベース部材６とを固定する第２固定位置Ｋ２とは、便器４の前後方向Ｙにおいて位置がずれている。
そのため、可動部材２０に掛かるフロントベース部材６からの荷重による垂直方向Ｚ及び前後方向Ｙへの曲げ応力に対して、ガタツキが低減され、ねじ部材の緩みを低減することができる。これにより、可動部材２０の変形を一層低減できる。特に、可動部材２０を手動で昇降させるように外力を加えての操作をする場合には、ねじ部材の緩みを低減するという効果は高い。
【００８４】
次に、第１実施形態の変形形態について説明する。
第１実施形態においては、第１水平プレート２１を左右方向Ｘに連続して形成したが、これに限定されない。例えば、図１１に示すように、第１水平プレート２１Ａを、左右方向に離間した２つのプレート部材２１０ａ，２１０ｂにより構成してもよい。この場合、第１水平プレート２１Ａの下面を固定下面２１１Ａ，２１１Ｂ（第１固定面）として構成することができると共に、第２水平プレート２３Ａの上面を固定上面２０３Ａ（第２固定面）として構成することができる。また、第１水平プレートを、３つ以上のプレート部材により分割して構成してもよい。
【００８５】
また、第１実施形態においては、接続ボックス部６３の下面取付用ベース部材側取付貫通穴６３１ａ，６３１ｂの断面を垂直方向Ｚの全体に亘って同じ径の円形状に形成したが、これに限定されない。例えば、図１２Ａ又は図１２Ｂに示すように、下面取付用ベース部材側貫通穴６３４ａ，６３４ｂ又は下面取付用ベース部材側貫通穴６３５ａ，６３５ｂは、縮径部を有していてもよい。
【００８６】
例えば、図１２Ａに示すように、下面取付用ベース部材側貫通穴６３４ａ，６３４ｂを、上方側において、上方から下方に向かって径が次第に小さくなるように縮径するテーパ状に形成し、かつ、下方側において、上下方向において径が同じ直線状に形成してもよい。この場合には、下面固定用長尺ねじ部材１０２を挿通させる場合に、上方側において、下面固定用長尺ねじ部材１０２の先端が径の中央に向かうように移動するため、下面固定用長尺ねじ部材１０２の先端を径の中心に位置させた状態で、下面固定用長尺ねじ部材１０２を、下面取付用ねじ穴２３２ａ，２３２ｂに対して傾きが低減された状態で良好に螺合させることできる。また、下面取付用ベース部材側貫通穴６３４ａ，６３４ｂを下方側において直線状に形成するため、下面固定用長尺ねじ部材１０２は、下面取付用ベース部材側貫通穴６３４ａ，６３４ｂの下方側において、下面取付用ベース部材側貫通穴６３４ａ，６３４ｂに沿って配置される。これにより、フロントベース部材６を第２水平プレート２３を取り付けた場合に、フロントベース部材６のガタツキをより抑制することができる。
また、下面固定用長尺ねじ部材１０２の先端部は、進行方向に突出するＲ形状に形成される。そのため、下面取付用ベース部材側貫通穴６３４ａ，６３４ｂへの下面固定用長尺ねじ部材１０２の先端部の引っ掛かりを低減することができる。
【００８７】
また、例えば、図１２Ｂに示すように、下面取付用ベース部材側貫通穴６３５ａ，６３５ｂを、上方側において、上方から下方に向かって径が小さくなるように縮径するテーパ状に形成し、かつ、下方側において、上方から下方に向かって径が大きくなるように拡径するテーパ状に形成してもよい。この場合には、下面固定用長尺ねじ部材１０２を挿通させる場合に、下面取付用ベース部材側貫通穴６３５ａ，６３５ｂの上方側において下面固定用長尺ねじ部材１０２の先端が径の中央に向かうように移動し、下方側において下面固定用長尺ねじ部材１０２の先端がそのまま径の中央に沿って移動するため、全体に亘ってテーパ状に形成する場合と同様に、下面固定用長尺ねじ部材１０２を、下面取付用ねじ穴２３２ａ，２３２ｂに対して傾きが低減された状態で良好に螺合させることできる。
また、下面固定用長尺ねじ部材１０２の先端部は、進行方向に突出するＲ形状に形成される。そのため、下面取付用ベース部材側貫通穴６３５ａ，６３５ｂへの下面固定用長尺ねじ部材１０２の先端部の引っ掛かりを低減することができる。
【００８８】
次に、本発明の第２実施形態に係る便器装置１Ｂの構成について、図１３を参照して説明する。なお、第２実施形態では、主に第１実施形態との相違点について説明する。第２実施形態では、第１実施形態と同一又は同等の構成については同じ符号を付して説明する。また、第２実施形態では、第１実施形態と重複する説明を適宜に省略する。
【００８９】
図１３に示すように、第２実施形態に係る便器装置１Ｂの昇降装置１０Ｂにおいては、第１実施形態の昇降装置１０に比べて、可動部材２０Ｂが、第１実施形態の第２水平プレート２３を有していない点及び垂直プレート２２Ｂの固定側面２０２Ｂ（第２固定面）においてフロントベース部材６Ｂを固定している点において主に異なる。
【００９０】
第２実施形態の昇降装置１０Ｂは、フロントベース部材６Ｂと、可動部材２０Ｂと、駆動装置３０と、を備える。
【００９１】
接続ボックス部６３Ｂは、図１３に示すように、一の面としての上面６０ａと、下面６０ｂと、他の面としての後ろ面６０ｃ（側面）と、一対の側面６０ｄ、６０ｄと、を有する。フロントベース部材６Ｂの接続ボックス部６３Ｂには、垂直取付穴６３６と、水平貫通穴６３７と、が形成される。
垂直取付穴６３６は、接続ボックス部６３Ｂの上面６０ａから下方に延びる。垂直取付穴６３６は、フロントベース部材６Ｂが可動部材２０Ｂに配置された状態において、可動部材２０Ｂの第１水平プレート２１Ｂの上面側取付穴２１５及び垂直取付穴６３６が連通するように、可動部材２０Ｂの第１水平プレート２１Ｂの上面側取付穴２１５（後述）に対応して配置される。
水平貫通穴６３７は、接続ボックス部６３Ｂの後ろ面６０ｃから前後方向Ｙに貫通する。水平貫通穴６３７は、フロントベース部材６Ｂが可動部材２０Ｂに配置された状態において、可動部材２０Ｂの垂直プレート２２Ｂの垂直面側取付ねじ穴２２５及び水平貫通穴６３７が連通するように、可動部材２０Ｂの垂直プレート２２Ｂの垂直面側取付ねじ穴２２５（後述）に対応して配置される。
【００９２】
可動部材２０Ｂは、図１３に示すように、第１水平プレート２１Ｂと、垂直プレート２２Ｂと、を有する。可動部材２０Ｂの第１水平プレート２１Ｂ及び垂直プレート２２Ｂは、第１水平プレート２１Ｂの固定下面２０１Ｂ（第１固定面）及び垂直プレート２２Ｂの固定側面２０２Ｂ（第２固定面）において、フロントベース部材６Ｂを固定する。
【００９３】
第１水平プレート２１Ｂは、水平方向に広がるように延びる。第１水平プレート２１Ｂは、固定下面２０１Ｂ（第１固定面）を有する。固定下面２０１Ｂは、第１水平プレート２１Ｂにおけるフロントベース部材６Ｂが配置される側の面である。第１水平プレート２１Ｂの後端部には、垂直プレート２２Ｂが接続される。第１水平プレート２１Ｂは、垂直方向Ｚに貫通する上面側取付穴２１５を有する。
第１水平プレート２１Ｂの固定下面２０１Ｂは、フロントベース部材６Ｂの接続ボックス部６３Ｂの上面６０ａに配置され、接続ボックス部６３Ｂの上面６０ａにおいて、ねじ部材１０４により、フロントベース部材６Ｂを固定する。
【００９４】
垂直プレート２２Ｂは、第１水平プレート２１Ｂに直交して配置され、垂直方向に広がるように延びる。垂直プレート２２Ｂは、第１水平プレート２１Ｂの後方側の端部から下方に延びる。垂直プレート２２Ｂは、固定側面２０２Ｂ（第２固定面）を有する。固定側面２０２Ｂは、垂直プレート２２Ｂにおけるフロントベース部材６Ｂが配置される側の面である。垂直プレート２２Ｂは、前後方向Ｙに貫通する垂直面側取付ねじ穴２２５を有する。
垂直プレート２２Ｂの固定側面２０２Ｂは、フロントベース部材６Ｂの接続ボックス部６３Ｂの後ろ面６０ｃに配置され、接続ボックス部６３Ｂの後ろ面６０ｃにおいて、ねじ部材１０５により、フロントベース部材６Ｂを固定する。
【００９５】
以上のように構成される第１水平プレート２１Ｂの固定下面２０１Ｂ及び垂直プレート２２Ｂの固定側面２０２Ｂには、次のように、フロントベース部材６Ｂが固定される。
まず、フロントベース部材６Ｂが可動部材２０Ｂに配置された状態において、ねじ部材１０４を、可動部材２０Ｂの第１水平プレート２１Ｂの上面側取付穴２１５の上方から下方に移動させる。これにより、第１水平プレート２１Ｂの上面側取付穴２１５にねじ部材１０４の棒状部分を挿通させて、上面側取付穴２１５の上面側の開口の周縁にねじ部材１０４の頭部が係止された状態で、ねじ部材１０４の先端側のねじ部分が、フロントベース部材６Ｂの垂直取付穴６３６に螺合される。このようにして、第１水平プレート２１Ｂの固定下面２０１Ｂは、フロントベース部材６Ｂの上面６０ａにおいて、フロントベース部材６Ｂを固定する。
【００９６】
また、フロントベース部材６Ｂが可動部材２０Ｂに配置された状態において、ねじ部材１０５を前方Ｙ１側から後方Ｙ２側に移動させる。これにより、フロントベース部材６Ｂの水平貫通穴６３７にねじ部材１０５の棒状部分を挿通させて、水平貫通穴６３７の前面側の開口の周縁にねじ部材１０５の頭部が係止された状態で、ねじ部材１０５の先端側のねじ部分が、垂直プレート２２Ｂの垂直面側取付ねじ穴２２５に螺合される。このようにして、垂直プレート２２Ｂの固定側面２０２Ｂは、フロントベース部材６Ｂの後ろ面６０ｃにおいて、フロントベース部材６Ｂを固定する。
【００９７】
以上説明した第２実施形態の昇降装置１０Ｂによれば、以下のような効果を奏する。
本実施形態の昇降装置１０Ｂは、便器装置１Ｂの便器４の上部に配置される機能部５の機能部材を昇降させる昇降装置１０Ｂであって、機能部５の機能部材を支持するフロントベース部材６Ｂと、フロントベース部材６Ｂの上面６０ａに配置され上面６０ａにおいてフロントベース部材６Ｂを固定する第１水平プレート２１Ｂの固定下面２０１Ｂ、及びフロントベース部材６Ｂの後ろ面６０ｃに配置され後ろ面６０ｃにおいてフロントベース部材６Ｂを固定する垂直プレート２２Ｂの固定側面２０２Ｂを有する可動部材２０Ｂと、を備える。
そのため、可動部材２０Ｂは、フロントベース部材６Ｂの上面６０ａ及び後ろ面６０ｃにおいて、フロントベース部材６Ｂを固定する。よって、可動部材２０Ｂの変形が少ない状態でフロントベース部材６Ｂを可動部材２０Ｂに固定するため、可動部材２０Ｂが変形することを低減できる。
また、可動部材２０Ｂは、フロントベース部材６を下方から支持するプレート（例えば、第１実施形態における第２水平プレート２３）を備えていない。そのため、フロントベース部材６の下方側の凸凹を無くすことができる。よって、フロントベース部材６の上昇時において、フロントベース部材６の下方側の清掃性を向上させることができる。
【００９８】
次に、本発明の第３実施形態に係る便器装置１Ｃの構成について、図１４を参照して説明する。なお、第３実施形態では、主に第１実施形態との相違点について説明する。第３実施形態では、第１実施形態と同一又は同等の構成については同じ符号を付して説明する。また、第３実施形態では、第１実施形態と重複する説明を適宜に省略する。
【００９９】
図１４に示すように、第３実施形態に係る便器装置１Ｃの昇降装置１０Ｃにおいては、第１実施形態の昇降装置１０に比べて、可動部材２０Ｃが、第１実施形態の第１水平プレート２１を有していない点及び第２水平プレート２３Ｃの固定上面２０３Ｃ（第１固定面）においてフロントベース部材６Ｃを固定している点において主に異なる。
【０１００】
第３実施形態の昇降装置１０Ｃは、フロントベース部材６Ｃと、可動部材２０Ｃと、駆動装置３０と、を備える。
【０１０１】
接続ボックス部６３Ｃは、図１４に示すように、上面６０ａと、他の面としての下面６０ｂと、一の面としての後ろ面６０ｃと、一対の側面６０ｄ、６０ｄと、を有する。フロントベース部材６Ｃの接続ボックス部６３Ｃには、水平貫通穴６３８と、垂直貫通穴６３９と、が形成される。
水平貫通穴６３８は、接続ボックス部６３Ｃの後ろ面６０ｃから前後方向Ｙに貫通する。水平貫通穴６３８は、フロントベース部材６Ｃが可動部材２０Ｃに配置された状態において、可動部材２０Ｃの垂直プレート２２Ｃの垂直面側取付ねじ穴２２６及び水平貫通穴６３８が連通するように、可動部材２０Ｃの垂直プレート２２Ｃの垂直面側取付ねじ穴２２６（後述）に対応して配置される。
垂直貫通穴６３９は、接続ボックス部６３Ｃの上面６０ａから下方に延びる。垂直貫通穴６３９は、フロントベース部材６Ｃが可動部材２０Ｃに配置された状態において、可動部材２０Ｃの第２水平プレート２３Ｃの上面側取付ねじ穴２３６及び垂直貫通穴６３９が連通するように、可動部材２０Ｃの第２水平プレート２３Ｃの上面側取付ねじ穴２３６（後述）に対応して配置される。
【０１０２】
可動部材２０Ｃは、図１４に示すように、垂直プレート２２Ｃと、第２水平プレート２３Ｃと、を有する。可動部材２０Ｃの垂直プレート２２Ｃの及び第２水平プレート２３Ｃは、垂直プレート２２Ｃの固定側面２０２Ｃ（第１固定面）及び第２水平プレート２３Ｃの固定上面２０３Ｃ（第２固定面）において、フロントベース部材６Ｃを固定する。
【０１０３】
垂直プレート２２Ｃは、垂直方向に広がるように延びる。垂直プレート２２Ｃは、固定側面２０２Ｃ（第１固定面）を有する。固定側面２０２Ｃは、垂直プレート２２Ｃにおけるフロントベース部材６Ｃが配置される側の面である。垂直プレート２２Ｃは、前後方向Ｙに貫通する垂直面側取付ねじ穴２２６を有する。
垂直プレート２２Ｃの固定側面２０２Ｃは、フロントベース部材６Ｃの接続ボックス部６３Ｃの後ろ面６０ｃに配置され、接続ボックス部６３Ｃの後ろ面６０ｃにおいて、ねじ部材１０７により、フロントベース部材６Ｃを固定する。
【０１０４】
第２水平プレート２３Ｃは、垂直プレート２２Ｃに直交して配置され、水平方向に広がるように延びる。第２水平プレート２３Ｃは、垂直プレート２２Ｃの下端部から前方Ｙ１に延びる。第２水平プレート２３Ｃは、固定上面２０３Ｃ（第２固定面）を有する。固定上面２０３Ｃは、第２水平プレート２３Ｃにおけるフロントベース部材６Ｃが配置される側の面である。第２水平プレート２３Ｃは、垂直方向Ｚに貫通する上面側取付ねじ穴２３６を有する。
第２水平プレート２３Ｃの固定上面２０３Ｃは、フロントベース部材６Ｂの接続ボックス部６３Ｃの下面６０ｂに配置され、接続ボックス部６３Ｃの下面６０ｂにおいて、ねじ部材１０６により、フロントベース部材６Ｃを固定する。
【０１０５】
以上のように構成される垂直プレート２２Ｃの固定側面２０２Ｃ及び第２水平プレート２３Ｃの固定上面２０３Ｃには、次のように、フロントベース部材６Ｃが固定される。
まず、フロントベース部材６Ｃが可動部材２０Ｃに配置された状態において、ねじ部材１０６を上方から下方に移動させる。これにより、フロントベース部材６Ｃの垂直貫通穴６３９にねじ部材１０６の棒状部分を挿通させて、垂直貫通穴６３９の上面側の開口の周縁にねじ部材１０６の頭部が係止された状態で、ねじ部材１０６の先端側のねじ部分が、第２水平プレート２３Ｃの垂直面側取付ねじ穴２３６に螺合される。このようにして、第２水平プレート２３Ｃの固定上面２０３Ｃは、フロントベース部材６Ｃの下面６０ｂにおいて、フロントベース部材６Ｃを固定する。
【０１０６】
また、フロントベース部材６Ｃが可動部材２０Ｃに配置された状態において、ねじ部材１０７を前方Ｙ１側から後方Ｙ２側に移動させる。これにより、フロントベース部材６Ｃの水平貫通穴６３８にねじ部材１０７の棒状部分を挿通させて、水平貫通穴６３８の前面側の開口の周縁にねじ部材１０７の頭部が係止された状態で、ねじ部材１０７の先端側のねじ部分が、垂直プレート２２Ｃの垂直面側取付ねじ穴２２６に螺合される。このようにして、垂直プレート２２Ｃの固定側面２０２Ｃは、フロントベース部材６Ｃの後ろ面６０ｃにおいて、フロントベース部材６Ｃを固定する。
【０１０７】
以上説明した第３実施形態の昇降装置１０Ｃによれば、以下のような効果を奏する。
本実施形態の昇降装置１０Ｃは、便器装置１Ｃの便器４の上部に配置される機能部５の機能部材を昇降させる昇降装置１０Ｃであって、機能部５の機能部材を支持するフロントベース部材６Ｃと、フロントベース部材６Ｃの後ろ面６０ｃに配置され後ろ面６０ｃにおいてフロントベース部材６Ｃを固定する垂直プレート２２Ｃの固定側面２０２Ｃ、及びフロントベース部材６Ｃの下面６０ｂに配置され下面６０ｂにおいてフロントベース部材６Ｃを固定する第２水平プレート２３Ｃの固定上面２０３Ｃを有する可動部材２０Ｃと、を備える。
そのため、可動部材２０Ｃは、フロントベース部材６Ｃの下面６０ｂ及び後ろ面６０ｃにおいて、フロントベース部材６Ｃを固定する。よって、可動部材２０Ｃの変形が少ない状態でフロントベース部材６Ｃを可動部材２０Ｃに固定するため、可動部材２０Ｃが変形することを低減できる。
【０１０８】
次に、本発明の第４実施形態に係る昇降装置１０Ｄの構成について、図１５を参照して説明する。なお、第４実施形態では、主に第１実施形態との相違点について説明する。第４実施形態では、第１実施形態と同一又は同等の構成については同じ符号を付して説明する。また、第４実施形態では、第１実施形態と重複する説明を適宜に省略する。
【０１０９】
図１５に示すように、第４実施形態に係る便器装置１Ｄの昇降装置１０Ｄにおいては、第１実施形態において第１水平プレート２１の固定下面２０１（第１固定面）が接続ボックス部６３の最も上方側の上面６０ａにおいてフロントベース部材６を固定するのに対して、第１水平プレート２１Ｄの固定下面２０１Ｄ（第１固定面）が接続ボックス部６３Ｄの垂直方向Ｚの途中の凹部６３０の上方側を向く受け面６３０ａにおいてフロントベース部材６を固定する点が、主に異なる。また、第４実施形態においては、第１実施形態と比べて、フロントベース部材６Ｄの接続ボックス部６３Ｄの形状が異なると共に、可動部材２０Ｄの垂直プレート２２Ｄが第１水平プレート２１Ｄよりも上方まで延びている点において異なる。
【０１１０】
第４実施形態の昇降装置１０Ｄは、フロントベース部材６Ｄと、可動部材２０Ｄと、駆動装置３０と、を備える。
【０１１１】
接続ボックス部６３Ｄは、図１５に示すように、接続ボックス部６３Ｄの後端部の垂直方向Ｚの途中において、接続ボックス部６３Ｄの後端部から前方側に略水平方向に窪む凹部６３０を有する。
【０１１２】
接続ボックス部６３Ｄは、図１５に示すように、一の面としての受け面６３０ａと、他の面としての下面６０ｂと、後ろ面６０ｃと、一対の側面６０ｄ、６０ｄと、を有する。
受け面６３０ａは、凹部６３０における下方側の面で且つ上方側を向く面あって、可動部材２０Ｄの第１水平プレート２１Ｄ（後述）を受ける面である。
【０１１３】
可動部材２０Ｄは、図１５に示すように、第１水平プレート２１Ｄと、垂直プレート２２Ｄと、第２水平プレート２３Ｄと、を有する。可動部材２０Ｄの第１水平プレート２１Ｄ及び第２水平プレート２３Ｄは、第１水平プレート２１Ｄの固定下面２０１Ｄ（第１固定面）及び第２水平プレート２３Ｄの固定上面２０３Ｄ（第２固定面）において、フロントベース部材６Ｄを固定する。
【０１１４】
第１水平プレート２１Ｄは、水平方向に広がるように延びる。第１水平プレート２１Ｄは、固定下面２０１Ｄ（第１固定面）を有する。固定下面２０１Ｄは、第１水平プレート２１Ｄにおけるフロントベース部材６Ｄの凹部６３０の受け面６３０ａが配置される側の面である。第１水平プレート２１Ｄの後端部には、垂直プレート２２Ｄが接続される。
第１水平プレート２１Ｄの固定下面２０１Ｄは、フロントベース部材６Ｄの接続ボックス部６３Ｄの受け面６３０ａの上部に配置され、接続ボックス部６３Ｄの受け面６３０ａにおいて、ねじ部材１０１により、フロントベース部材６Ｄを固定する。
【０１１５】
垂直プレート２２Ｄは、第１水平プレート２１Ｄに直交して配置され、垂直方向に広がるように延びる。垂直プレート２２Ｄは、第１水平プレート２１Ｄの後方側の端部よりも上方から第１水平プレート２１Ｄの後方側の端部を通り下方に延びる。
【０１１６】
第２水平プレート２３Ｄは、垂直プレート２２Ｄに直交して配置され、水平方向に広がるように延びる。第２水平プレート２３Ｄは、垂直プレート２２Ｄの下端部から前方Ｙ１側に延びる。第２水平プレート２３Ｄは、固定上面２０３Ｄ（第２固定面）を有する。固定上面２０３Ｄは、第２水平プレート２３Ｄにおけるフロントベース部材６Ｄが配置される側の面である。
第２水平プレート２３Ｄの固定上面２０３Ｄは、フロントベース部材６Ｄの接続ボックス部６３Ｄの下面６０ｂに配置され、接続ボックス部６３Ｄの下面６０ｂにおいて、ねじ部材１０２により、フロントベース部材６Ｄを固定する。
【０１１７】
以上のように構成される昇降装置１０Ｄにおいては、可動部材２０Ｄの第１水平プレート２１Ｄ及び第２水平プレート２３Ｄは、第１水平プレート２１Ｄの固定下面２０１Ｄ（第１固定面）及び第２水平プレート２３Ｄの固定上面２０３Ｄ（第２固定面）において、フロントベース部材６Ｄを固定する。第１水平プレート２１Ｄの固定下面２０１Ｄ（第１固定面）は、フロントベース部材６Ｄの受け面６３０ａにおいてフロントベース部材６Ｄを固定する。
このように、本発明には、第１水平プレート２１の固定下面２０１（第１固定面）が接続ボックス部６３の最も上方側の上面６０ａにおいてフロントベース部材６を固定する前記第１実施形態に限定されず、第４実施形態のように、第１水平プレート２１Ｄの固定下面２０１Ｄ（第１固定面）が接続ボックス部６３Ｄの垂直方向Ｚの途中の凹部６３０の上方側を向く受け面６３０ａにおいてフロントベース部材６Ｄを固定する形態も含まれる。
【０１１８】
以上、本発明の昇降装置の好ましい一実施形態について説明したが、本発明は、上述した実施形態に制限されるものではなく、適宜変更が可能である。
例えば、前記第１実施形態において、下面固定用長尺ねじ部材１０２の先端部を第２水平プレート２３の下面取付用ねじ穴２３２ａ，２３２ｂに螺合して、フロントベース部材６を可動部材２０の第２水平プレート２３の固定上面２０３に固定するように構成したが、これに限定されない。例えば、下面固定用長尺ねじ部材１０２の先端部を第２水平プレート２３を貫通させて、下面固定用長尺ねじ部材１０２の先端部をナットにより螺合することで、フロントベース部材６を可動部材２０の第２水平プレート２３に固定するように構成してもよい。
【０１１９】
また、前記第１実施形態において、下面固定用長尺ねじ部材１０２と第２水平プレート２３の下面取付用ねじ穴２３２ａ，２３２ｂとの固定の強度を向上させるために、第２水平プレート２３における下面取付用ねじ穴２３２ａ，２３２ｂの周縁において、第２水平プレート２３の上面から上方に突出する凸部を形成するバーリング加工を施してもよい。第２水平プレート２３における下面取付用ねじ穴２３２ａ，２３２ｂの周縁に凸部を形成することで、下面取付用ねじ穴２３２ａ，２３２ｂにおけるねじ山数を確保して、下面取付用ねじ穴２３２ａ，２３２ｂにおける固定の強度を向上できる。また、下面固定用長尺ねじ部材１０２の先端部をナットにより螺合するよりも、コストを低減できる。
【０１２０】
また、前記実施形態では、可動部材２０を駆動装置３０により昇降させる構成としたが、これに限定されない。可動部材２０を手動で昇降させる構成としてもよい。
【０１２１】
また、前記第１実施形態においては、可動部材２０の第１水平プレート２１、垂直プレート２２及び第２水平プレート２３は、第１水平プレート２１の固定下面２０１、垂直プレート２２の固定側面２０２及び第２水平プレート２３の固定上面２０３において、フロントベース部材６を固定しているが、これに限定されない。例えば、前記第１実施形態において、垂直プレート２２を備えない構成であってもよい。この場合には、可動部材２０の第１水平プレート２１及び第２水平プレート２３は、第１水平プレート２１の固定下面２０１及び第２水平プレート２３の固定上面２０３において、フロントベース部材６を固定する。
【０１２２】
また、前記実施形態では、可動部材２０を駆動装置３０により垂直方向Ｚに昇降して移動させる構成としたが、これに限定されない。可動部材２０の昇降には、垂直方向に対して傾斜した斜め上下方向に移動する場合や、回動して昇降する場合も含まれる。
【０１２３】
また、前記第２実施形態及び前記第３実施形態では、フロントベース部材の側面を、後ろ面としたが、これに限定されない。フロントベース部材の側面は、フロントベース部材の後ろ面、前面又は左右方向の両側のいずれかの側面であってもよい。例えば、前記第２実施形態及び前記第３実施形態においては、側面としての後ろ面でフロントベース部材を固定しているが、側面としての前面においてフロントベース部材を固定してもよいし、左右方向の両側のいずれかの側面においてフロントベース部材を固定してもよい。
【符号の説明】
【０１２４】
１  便器装置
４  便器
５  機能部（上部構成部）
６、６Ｂ、６Ｃ、６Ｄ  フロントベース部材（ベース部材）
１０、１０Ｂ、１０Ｃ、１０Ｄ  昇降装置
２０、２０Ａ、２０Ｂ、２０Ｃ，２０Ｄ  可動部材
６０ａ  上面（一の面、受け面）
６０ｂ  下面（他の面）
６０ｃ  後ろ面（側面、他の面、一の面）
６３、６３Ｂ、６３Ｃ、６３Ｄ  接続ボックス部（接続部）
１０１  上面固定用ねじ部材（第１固定部材）
１０２  下面固定用長尺ねじ部材（第２固定部材）
２０１  固定下面（第１固定面）
２０１Ｂ  固定下面（第１固定面）
２０１Ｄ  固定下面（第１固定面）
２０２Ｂ  固定側面（第２固定面
２０２Ｃ  固定側面（第１固定面）
２０３  固定上面（第２固定面）
２０３Ｃ  固定上面（第２固定面）
２０３Ｄ  固定上面（第２固定面）
６００ａ  受け面
Ｋ１  第１固定位置
Ｋ２  第２固定位置
【図１】
0006671934.tif 000002
【図２】
0006671934.tif 000003
【図３】
0006671934.tif 000004
【図４】
0006671934.tif 000005
【図５】
0006671934.tif 000006
【図６】
0006671934.tif 000007
【図７】
0006671934.tif 000008
【図８】
0006671934.tif 000009
【図９】
0006671934.tif 000010
【図１０】
0006671934.tif 000011
【図１１】
0006671934.tif 000012
【図１２Ａ】
0006671934.tif 000013
【図１２Ｂ】
0006671934.tif 000014
【図１３】
0006671934.tif 000015
【図１４】
0006671934.tif 000016
【図１５】
0006671934.tif 000017